(57)【特許請求の範囲】
【請求項１】
広告情報を表示出力する広告表示手段と、
所定距離内のユーザが所持する端末と通信して当該端末に含まれる前記ユーザのプロファイル情報を取得し、取得した前記プロファイル情報をユーザ識別情報、取得時刻およびユーザ情報収集手段識別情報とともに通信出力するユーザ情報収集手段と、
複数の前記広告表示手段および複数の前記ユーザ情報収集手段と接続され、各ユーザ情報収集手段が通信出力する前記プロファイル情報、ユーザ識別情報、取得時刻およびユーザ情報収集手段識別情報を収集し、複数個所の前記ユーザ情報収集手段から収集した前記ユーザ識別情報、取得時刻およびユーザ情報収集手段識別情報に基づいて前記ユーザの予想進路と進行速度を推定し、当該予想進路にある前記広告表示手段に前記ユーザが到達するタイミングを予測し、前記ユーザのプロファイル情報に合致する広告情報と当該広告情報の出力時刻を、前記予想進路にある前記広告表示手段に表示指示する広告出力制御手段と
を備えることを特徴とする広告システム。
【請求項２】
前記広告出力制御手段は、
前記ユーザ情報収集手段から受信した前記プロファイル情報、ユーザ識別情報、取得時刻およびユーザ情報収集手段識別情報を前記ユーザと対応させて蓄積するユーザ情報管理手段と、
前記広告表示手段および前記ユーザ情報収集手段のそれぞれの設置場所を地図情報と予め対応付けて記憶している装置設置場所記憶手段と、
前記広告表示手段の設置場所に到達する前記ユーザのユーザ識別情報を到達タイミングの順に当該広告表示手段と対応させて蓄積する表示情報管理手段と、
前記ユーザのプロファイル情報に対応した最適な広告情報を蓄積する広告情報蓄積手段と
を含むことを特徴とする請求項１に記載の広告システム。
【請求項３】
前記広告出力制御手段は、
前記ユーザ情報収集手段から受信した前記プロファイル情報、ユーザ識別情報、取得時刻およびユーザ情報収集手段識別情報を、前記ユーザ単位で前記ユーザ情報管理手段に登録する情報収集手段と、
前記ユーザ情報管理手段に蓄積された、複数個所の前記ユーザ情報収集手段から収集した前記ユーザ識別情報、取得時刻およびユーザ情報収集手段識別情報に基づいて、前記装置設置場所記憶手段を参照して前記ユーザの予想進路と進行速度を推定し、当該予想進路にある前記広告表示手段に前記ユーザが到達するタイミングを予測して、前記表示情報管理手段に登録する経路予測手段と、
前記表示情報管理手段を参照して前記到達タイミングが最も早いユーザに対応する前記広告表示手段を抽出し、当該広告表示手段と対応して登録されている前記ユーザ識別情報に基づいて前記ユーザ情報管理手段から当該ユーザの前記プロファイル情報を抽出し、前記広告情報蓄積手段を参照して当該抽出したプロファイル情報に対応した最適な広告情報を抽出して前記広告表示手段に出力表示情報と共に通知する広告情報選択表示手段と
を含むことを特徴とする請求項２に記載の広告システム。
【請求項４】
前記経路予測手段は、算出した前記進行速度が予め定めた進行速度を超過するユーザに対しては、前記表示情報管理手段への登録対象外とすることを特徴とする請求項３に記載の広告システム。
【請求項５】
前記ユーザ情報収集手段は、前記端末との通信において検出した前記端末が発信する信号の受信レベル情報を含めて前記広告出力制御手段に通知し、前記広告出力制御手段は、複数個所の前記ユーザ情報収集手段から収集した前記ユーザ識別情報、取得時刻、ユーザ情報収集手段識別情報および前記受信レベル情報に基づいて前記ユーザの予想進路と進行速度を推定し、当該予想進路にある前記広告表示手段に前記ユーザが到達するタイミングを予測することを特徴とする請求項１に記載の広告システム。
【請求項６】
前記ユーザ情報収集手段は、前記端末との通信において検出した前記端末が発信する信号の受信レベル情報を含めて前記広告出力制御手段に通知し、
前記広告出力制御手段の前記ユーザ情報管理手段は、前記ユーザ情報収集手段から受信した前記プロファイル情報、ユーザ識別情報、取得時刻、ユーザ情報収集手段識別情報および前記受信レベル情報を前記ユーザと対応させて蓄積し、
前記広告出力制御手段の前記情報収集手段は、複数の前記ユーザ情報収集手段から収集した前記ユーザ識別情報、取得時刻、ユーザ情報収集手段識別情報および前記受信レベル情報を、前記取得時刻が略同一の前記ユーザ情報収集手段及び前記受信レベル情報ごとにまとめて前記ユーザと対応させて前記ユーザ情報管理手段に登録し、
前記広告出力制御手段の前記経路予測手段は、略同一の前記取得時刻ごとに複数個所の前記ユーザ情報収集手段から収集した前記受信レベル情報に基づいて前記ユーザの位置を特定し、異なる前記取得時刻ごとに特定した前記ユーザの位置に基づいて当該ユーザの予想進路と進行速度を推定し、当該予想進路にある前記広告表示手段に前記ユーザが到達するタイミングを予測する
ことを特徴とする請求項３ないし請求項４のいずれかの請求項に記載の広告システム。
【請求項７】
前記ユーザ情報収集手段は、前記広告表示手段に含まれることを特徴とする請求項１ないし請求項６のいずれかの請求項に記載の広告システム。
【請求項８】
所定距離内のユーザが所持する端末と通信して当該端末に含まれる前記ユーザのプロファイル情報を取得するユーザ情報収集手段から、取得した前記プロファイル情報、ユーザ識別情報、取得時刻および当該ユーザ情報収集手段識別情報を収集し、
複数個所の前記ユーザ情報収集手段から収集した前記ユーザ識別情報、取得時刻およびユーザ情報収集手段識別情報に基づいて前記ユーザの予想進路と進行速度を推定し、
前記ユーザが当該予想進路にある、広告情報を表示出力する広告表示手段に到達するタイミングを予測し、
前記ユーザのプロファイル情報に合致する広告情報と当該広告情報の出力時刻を、前記予想進路にある前記広告表示手段に表示指示する
ことを特徴とする広告方法。
【請求項９】
前記ユーザ情報収集手段から、前記端末との通信において検出した前記端末が発信する信号の受信レベル情報を含めて収集し、
複数個所の前記ユーザ情報収集手段から収集した前記ユーザ識別情報、取得時刻、ユーザ情報収集手段識別情報および前記受信レベル情報に基づいて前記ユーザの予想進路と進行速度を推定する
ことを特徴とする請求項８に記載の広告方法。
【発明の詳細な説明】
【技術分野】
【０００１】
本発明は、広告システムおよび広告方法に関し、街頭に設置されて商品広告を通行人に提供する広告システムおよび広告方法に関する。
【背景技術】
【０００２】
大型ディスプレイがビルの壁面に設置され、街中を行く通行人に商品広告を視覚的に表示する広告システムが繁華街の街頭に多数設置されるようになっている。このような広告システムとしては、予め決められた商品広告を時間帯等に応じてプログラムの順に表示するものや、その商品広告の近傍にいる通行人の嗜好に合わせた内容の商品に関する広告を表示するものなど、いくつかの提案がなされている。
【０００３】
例えば、特許文献１には、店頭や街頭で映像表示システムの映像表示を見ている視聴者が個別に保持している携帯電話機のような端末と通信を行う映像表示システムが開示されている。この映像表示システムは、近距離通信が可能な範囲にいる視聴者の端末と通信を行い、その端末に設定されている公開個人情報に基づいて、最適な映像を選択して表示するようにしている。公開個人情報とは、その端末の所持者が第三者に公開しても良いとして設定されている情報である。例えば、性別、年齢、趣味、嗜好、所持金額等があり得る。
【０００４】
また、特許文献２には、ユーザの関心の高い広告コンテンツをユーザが電子広告装置に到達するタイミングでタイムリーに表示し、高い宣伝広告効果を得ることを目的とした案内連動広告システムが開示されている。この案内連動広告システムは、ユーザがユーザ携帯端末から案内サーバにアクセスし、ユーザが指定した行き先の経路を案内サーバがそのユーザ携帯端末に表示させることを前提にしている。つまり、当該システムは、ＩＭＥＳ（Indoor Messaging System）やＧＰＳ（Global Positioning System）を使用してユーザ位置を確認し、イベント会場での行き先案内やカーナビゲーションシステムによる行き先案内と連動して広告表示するものである。そして、その行き先までの経路途中にある電子広告装置に、ユーザがその場所に到達するタイミングを予測して、ユーザのプロファイルから得られる最適な広告を表示するというものである。
【先行技術文献】
【特許文献】
【０００５】
【特許文献１】特開２００２−３４２６４２号公報
【特許文献２】特開２０１１−０６９９３１号公報
【発明の概要】
【発明が解決しようとする課題】
【０００６】
このような街頭の広告システムは、通行人の興味や嗜好にかなった商品広告を提供することにより高い宣伝広告効果を得ることができる。
【０００７】
特許文献１が開示する映像表示システムは、店頭や街頭でその映像表示システムの映像表示を見ている視聴者の興味や嗜好にかなった商品広告を表示するようになっている。そのため、のんびりと映像表示に見入っている視聴者に対しては適した広告システムかもしれない。しかし、たまたまその映像表示システムの近傍にいるというだけで、その場所を通過しているような通行人の公開個人情報を反映した広告を表示しても高い宣伝広告効果は得られない。
【０００８】
繁華街において人々はさまざまな状態にある。のんびり歩いている人、足早に歩いている人、立ち止まっている人、走っている人等さまざまである。そのため、特許文献１が開示する映像表示システムでは、走ったり、早く歩いていて、表示されている広告を見ることがないような人に対する公開個人情報までを反映させたシステムになっている。また、現時点では広告システムの近傍には居ないが、あるタイミングにおいて広告システムに接近している人に対する考慮はされていない。
【０００９】
一方、特許文献２が開示する案内連動広告システムは、広告システムに接近中の人も考慮したシステムになっている。つまり、案内した行き先までの経路途中にある広告表示装置に、ユーザがその場所に到達するタイミングを予測して、ユーザのプロファイルから得られる最適な広告を表示する。しかし、特許文献２が開示する技術は、一旦案内サーバにアクセスして案内情報を求めるという操作が必要である。しかもユーザの位置特定にはＩＭＥＳやＧＰＳが用いられている。そのため、街頭をぶらぶら歩いている不特定多数の任意のユーザを対象とした広告システムではない。
【００１０】
そこで、本発明の目的は、不特定多数の任意に移動中のユーザを対象とし、そのユーザが街頭の広告表示装置の近傍に到達するタイミングで、そのユーザのプロファイルから得られる最適な広告情報を表示出力する広告システムおよび広告方法を提供することにある。
【課題を解決するための手段】
【００１１】
上記の目的を実現するために、本発明の一形態である広告システムは、広告情報を表示出力する広告表示手段と、所定距離内のユーザが所持する端末と通信して当該端末に含まれる前記ユーザのプロファイル情報を取得し、取得した前記プロファイル情報をユーザ識別情報、取得時刻および当該手段識別情報とともに通信出力するユーザ情報収集手段と、複数の前記広告表示手段および複数の前記ユーザ情報収集手段と接続され、各ユーザ情報収集手段が通信出力する前記プロファイル情報、ユーザ識別情報、取得時刻およびユーザ情報収集手段識別情報を収集し、複数個所の前記ユーザ情報収集手段から収集した前記ユーザ識別情報、取得時刻およびユーザ情報収集手段識別情報に基づいて前記ユーザの予想進路と進行速度を推定し、当該予想進路にある前記広告表示手段に前記ユーザが到達するタイミングを予測し、前記ユーザのプロファイル情報に合致する広告情報と当該広告情報の出力時刻を、前記予想進路にある前記広告表示手段に表示指示する広告出力制御手段とを含むことを特徴とする。
【００１２】
また、本発明の他の形態である広告方法は、所定距離内のユーザが所持する端末と通信して当該端末に含まれる前記ユーザのプロファイル情報を取得するユーザ情報収集手段から、取得した前記プロファイル情報、ユーザ識別情報、取得時刻および当該ユーザ情報収集手段識別情報を収集し、複数個所の前記ユーザ情報収集手段から収集した前記ユーザ識別情報、取得時刻およびユーザ情報収集手段識別情報に基づいて前記ユーザの予想進路と進行速度を推定し、前記ユーザが当該予想進路にある、広告情報を表示出力する広告表示手段に到達するタイミングを予測し、前記ユーザのプロファイル情報に合致する広告情報と当該広告情報の出力時刻を、前記予想進路にある前記広告表示手段に表示指示することを特徴とする。
【発明の効果】
【００１３】
本発明は、不特定多数の任意に移動中のユーザに対して、そのユーザが街頭の広告表示装置の近傍に到達するタイミングで、そのユーザのプロファイルから得られる最適な広告情報を提供することができる。
【図面の簡単な説明】
【００１４】
【図１】本発明の第１の実施形態の広告システムの構成を示すブロック図である。
【図２】第１の実施形態の広告システムの動作を示すフロー図である。
【図３】第２の実施形態の広告システム構成を示すブロック図である。
【図４】第２の実施形態のユーザ情報収集装置の構成を示すブロック図である。
【図５】第２の実施形態の広告出力制御装置の構成を示すブロック図である。
【図６】第２の実施形態の広告表示装置の構成を示すブロック図である。
【図７】第２の実施形態の広告出力制御装置のユーザ情報管理部で管理しているユーザデータの例を示す図である。
【図８】第２の実施形態の広告出力制御装置の表示情報管理部で管理している登録データの例を示す図である。
【図９】第２の実施形態のユーザ情報収集装置の動作を示すフロー図である。
【図１０】第２の実施形態の広告出力制御装置の情報収集部の動作を示すフロー図である。
【図１１】第２の実施形態の広告出力制御装置の経路予測部の動作を示すフロー図である。
【図１２】第２の実施形態の広告出力制御装置の広告情報選択指示部の動作を示すフロー図である。
【図１３】第２の実施形態の広告表示装置の記憶制御部の動作を示すフロー図である。
【図１４】第２の実施形態の広告表示装置の表示制御部の動作を示すフロー図である。
【図１５】第３の実施形態の広告システム構成を示すブロック図である。
【図１６】第３の実施形態のユーザ情報収集装置のユーザ通信部の構成を示すブロック図である。
【図１７】第３の実施形態のユーザ情報収集装置の動作を示すフロー図である。
【図１８】第３の実施形態の広告出力制御装置のユーザ情報管理部で管理しているユーザデータの例を示す図である。
【図１９】第４の実施形態の広告システム構成を示すブロック図である。
【図２０】第４の実施形態の広告表示装置の構成を示すブロック図である。
【発明を実施するための形態】
【００１５】
次に、本発明の実施の形態について図面を参照して詳細に説明する
図１は、本発明の第１の実施形態の広告システムの構成を示すブロック図である。
【００１６】
この広告システム１は、広告出力制御手段１０、ユーザ情報収集手段２１、・・２ｍ（ｍは任意の整数）および広告表示手段３１、・・３ｎ（ｎは任意の整数）を含む構成となっている。つまり、広告出力制御手段１０は、複数のユーザ情報収集手段２１、・・２ｍおよび複数の広告表示手段３１、・・３ｎと、通信回線を介して接続されている。
【００１７】
広告表示手段、例えば、広告表示手段３１は広告情報を表示出力する。
【００１８】
ユーザ情報収集手段、例えば、ユーザ情報収集手段２１は、所定距離内のユーザが所持する端末３０と通信して当該端末に含まれるそのユーザのプロファイル情報を取得する。そして、取得したプロファイル情報をユーザ識別情報、取得時刻および当該ユーザ情報収集手段識別情報とともに通信出力する。
【００１９】
広告出力制御手段１０は、複数の広告表示手段３１、・・３ｎおよび複数のユーザ情報収集手段２１、・・２ｍと接続され、各ユーザ情報収集手段が通信出力するユーザのプロファイル情報、ユーザ識別情報、取得時刻およびユーザ情報収集手段識別情報を収集する。そして、広告出力制御手段１０は、複数個所のユーザ情報収集手段から収集したユーザのユーザ識別情報、取得時刻およびユーザ情報収集手段識別情報に基づいて前記ユーザの予想進路と進行速度を推定する。さらに、広告出力制御手段１０は、当該予想進路にある広告表示手段にユーザが到達するタイミングを予測して、そのユーザのプロファイル情報に合致する広告情報と当該広告情報の出力時刻を、予想進路にある広告表示手段に表示指示する。
【００２０】
このように、第１の実施形態の広告システム１においてユーザ情報収集手段および広告表示手段は複数個所に設置されている。例えば、駅構内やある地域の繁華街の複数個所の街頭に設置されている。各ユーザ情報収集手段は、所定距離内のユーザが所持する端末３０と通信して当該ユーザのプロファイル情報を取得する機能を有している。このプロファイル情報は、端末を所持するユーザが公開しても良いとして設定した情報で、例えば、性別、年齢、趣味、嗜好、所持金額、居住地等を含む。このように、本実施形態のユーザ情報収集手段は、駅構内、広場、街頭、歩道等の任意の場所に複数設置される。そして、ユーザ情報収集手段が設置された近辺の場所にいる人、通行中の人、走っている人に関係なく、ユーザ情報収集手段は当該ユーザ情報収集手段が有する所定の通信エリア内に存在する端末と通信を行って情報を収集することができる。
【００２１】
そしてユーザ情報収集手段は、取得したユーザのプロファイル情報を、当該ユーザを識別する情報、情報を取得した時刻、情報を取得したユーザ情報収集手段を識別する情報とともに、広告出力制御手段１０に通信出力する。なお、識別情報を以降の説明ではＩＤ（Identification）と称する。
【００２２】
広告出力制御手段１０は、複数のユーザ情報収集手段からユーザのプロファイル情報、当該ユーザＩＤ、情報の取得時刻、情報を取得したユーザ情報収集手段ＩＤを収集する。収集した情報は別途ユーザ対応に管理される。
【００２３】
例えばある移動中のユーザがその経路途上で複数のユーザ情報収集手段の近傍を通過すると、その対応する場所のそれぞれのユーザ情報収集手段から当該ユーザに関する情報が収集される。そのため、当該ユーザが通過した場所、通過した時刻が当該ユーザＩＤ、取得時刻およびユーザ情報収集手段ＩＤにもとづいて識別される。そして、ユーザ情報収集手段ＩＤに基づいて、その設置場所を地図情報と対応付けて識別することができる。
【００２４】
従って、広告出力制御手段１０は、複数個所のユーザ情報収集手段から収集した情報に基づいてユーザの予想進路を推定することができる。また、ユーザの進行速度も推定できる。広告出力制御手段１０は、このようにして移動中のユーザの予想進路と進行速度を推定する。そして、広告出力制御手段１０は、広告表示手段の設置場所も地図情報と対応付けて識別することができるので、ユーザがその経路にある広告表示手段に到達するタイミングを予測する。そして、広告出力制御手段１０は、その広告表示手段に対して、ユーザのプロファイル情報に合致する広告情報と出力時刻を表示指示する。
【００２５】
広告情報とその出力時刻の表示指示を受けた広告表示手段は、その指示に従って広告情報を表示する。なお、ここで表示する広告情報は動画像に限ることなく、静止画像や音声の単独情報による広告情報を含むものとする。
【００２６】
図２は、第１の実施形態の広告システムの動作を示すフロー図である。
【００２７】
以下のように動作する。
【００２８】
所定距離内のユーザが所持する端末と通信して当該端末に含まれるユーザのプロファイル情報を取得するユーザ情報収集手段から、取得した前記プロファイル情報、ユーザＩＤ、取得時刻および当該ユーザ情報収集手段ＩＤを収集する（Ｓ１０１）。
【００２９】
複数個所のユーザ情報収集手段から収集したユーザのユーザＩＤ、取得時刻およびユーザ情報収集手段ＩＤに基づいてそのユーザの予想進路と進行速度を推定する（Ｓ１０２）。
【００３０】
当該予想進路にある、広告情報を表示出力する広告表示手段にそのユーザが到達するタイミングを予測する（Ｓ１０３）。
【００３１】
そのユーザのプロファイル情報に合致する広告情報と当該広告情報の出力時刻を、予想進路にある広告表示手段に表示指示する（Ｓ１０４）。
【００３２】
このように、第１の実施形態の広告システムは、任意に移動中のユーザに対して、そのユーザが街頭の広告情報表示手段の近傍に到達するタイミングで、そのユーザのプロファイルから得られる最適な広告情報を提供することができる。そのため、ユーザに対する訴求力の強い、より高い宣伝広告効果を発揮することができる。
【００３３】
次に第２の実施形態を説明する。
【００３４】
図３は、第２の実施形態の広告システムの構成を示すブロック図である。
【００３５】
第２の実施形態の広告システム２は、広告出力制御装置１００、複数のユーザ情報収集装置２１０、・・２ｍｎ（ｍｎは任意の整数）および複数の広告表示装置３１０、・・３ｎｍ（ｎｍは任意の整数）を含む構成となっている。
【００３６】
ユーザ情報収集装置２１０、・・２ｍｎおよび広告表示装置３１０、・・３ｎｍは、駅構内、広場、繁華街の歩道に沿ったビルの壁面等に多数設置される。
【００３７】
ユーザ情報収集装置、例えばユーザ情報収集装置２１０は、当該ユーザ情報収集装置２１０の近傍の所定距離内に居るユーザが所持する端末３０と通信して当該ユーザのプロファイル情報を取得する。このプロファイル情報は、端末を所持するユーザが公開しても良いとして設定した情報で、例えば、性別、年齢、趣味、嗜好、所持金額、居住地等を含む。つまり、各ユーザ情報収集装置は、ユーザが所持する端末３０と通信可能な所定通信エリアを構成している。そして、各ユーザ情報収集装置は、端末３０から取得したユーザのプロファイル情報をユーザＩＤ、取得時刻および当該ユーザ情報収集装置ＩＤとともに通信回線を介して広告出力制御装置１００に送信する。
【００３８】
広告出力制御装置１００は、街中に設置された多数のユーザ情報収集装置２１０、・・２ｍｎおよび広告表示装置３１０、・・３ｎｍと通信回線を介して接続されている。そして、各ユーザ情報収集装置の近傍に居るユーザに関するプロファイル情報とユーザＩＤを、それぞれのユーザ情報収集装置ＩＤ、取得時刻とともに逐次受信して、街頭に居るユーザに関する情報を収集している。任意に移動しているユーザは、移動中に複数のユーザ情報収集装置の近傍を通過するであろう。広告出力制御装置１００は、そのようなユーザを対象にして、複数個所のユーザ情報収集装置から収集したユーザ情報の取得時刻およびユーザ情報収集装置ＩＤに基づいてユーザの予想進路と進行速度を推定する。さらに、広告出力制御装置１００は、当該予想進路にある広告出力装置の設置場所にユーザが到達するタイミングを予測して、そのユーザのプロファイル情報に合致する広告情報と出力時刻を、その広告表示装置に送信する。
【００３９】
広告表示装置３１０、・・３ｎｍは、広告出力制御装置１００から受信する表示指示情報に基づいて広告情報を表示出力する装置である。なお、広告表示装置３１０、・・３ｎｍが表示出力する広告情報は動画像に限ることなく、静止画像や音声の単独情報による広告情報を含むものとする。
【００４０】
このような第２の実施形態の広告システム２を、図４〜図１４を参照して詳細に説明する。図４〜図８は構成を示すブロック図等であり、図９〜図１４は動作を示すフロー図である。
【００４１】
まず、各装置の構成について説明する。
【００４２】
図４は、第２の実施形態のユーザ情報収集装置２００の構成を示すブロック図である。なお、ユーザ情報収集装置２００は、複数のユーザ情報収集装置２１０、・・２ｍｎを代表して、その構成を示すものである。
【００４３】
ユーザ情報収集装置２００は、制御部２０１、ユーザ通信部２０２、上位装置通信部２０３および記憶部２０４を含む構成となっている。
【００４４】
前述のごとく、ユーザ情報収集装置２００は、当該装置の近傍の所定距離内に居るユーザが所持する端末３０と通信してユーザのプロファイル情報を取得する。そして、ユーザ情報収集装置２００は、端末３０から取得したユーザのプロファイル情報をユーザＩＤ、取得時刻および当該ユーザ情報収集装置ＩＤとともに通信回線を介して広告出力制御装置１００に送信する。
【００４５】
そのため、ユーザ通信部２０２は所定の範囲をカバーする無線通信エリアを構築しており、その無線通信エリア内に入った端末３０と通信を行う機能を有する。所定の範囲は、例えばユーザ情報収集装置２００を中心として半径１０ｍ〜２０ｍの円形の近距離無線通信エリアでよい。
【００４６】
また、端末３０は、携帯電話機に代表される個人が通常所持する携帯型の電子機器で、当該広告システムとの通信機能および情報提供機能を備えている機器であればよい。当該広告システムとの通信機能は、例えば、ユーザ通信部２０２が周期的に発信している応答要求信号に対して応答信号を返送することにより通信を開始する機能が想定される。そして、情報提供機能としては、ユーザ通信部２０２からのプロファイル情報取得要求信号を受信して、予め登録してある当該端末の所持者に関するプロファイル情報を返送する機能を有していればよい。
【００４７】
ユーザ通信部２０２は端末３０との通信開始時に端末３０からユーザＩＤを取得する。ユーザＩＤはユーザを一意に識別できればよい情報である。例えば、自分のプロファイル情報に合致する広告情報が表示されることを望むユーザを会員として募集して当該広告システムによる広告表示を行う運用形態が想定される。このような場合に、ユーザが当該広告システムによる広告表示の提供を受けるために別途登録した際に付与された登録ＩＤをユーザＩＤとして使用してもかまわない。また、運用形態にかかわらず、端末に固有に付与された端末装置ＩＤをユーザＩＤとして使用してもかまわない。
【００４８】
記憶部２０４は、ユーザ通信部２０２で取得したユーザＩＤを含むプロファイル情報が一旦蓄積される記憶部である。記憶部２０４に蓄積される際に、ユーザＩＤとプロファイル情報には当該情報を取得した時刻および当該ユーザ情報収集装置２００の識別ＩＤが付加される。
【００４９】
上位装置通信部２０３は、記憶部２０４に蓄積されたユーザＩＤ、プロファイル情報、取得時刻およびユーザ情報収集装置ＩＤを広告出力制御装置１００に送信する通信部である。広告出力制御装置１００への送信は定期的に行われる。例えば、記憶部２０４に蓄積された情報を１０秒間隔で送信する。この送信間隔は、記憶部２０４に蓄積されるデータ量との関連で、ユーザ情報収集装置の設置場所や時間帯に応じて任意に設定してかまわない。また、上位装置通信部２０３は無線通信または有線通信のどちらの通信形態であってもかまわない。
【００５０】
制御部２０１は、上述したユーザ情報収集装置としての機能を有機的に実現するために、ユーザ通信部２０２、上位装置通信部２０３および記憶部２０４を統括的に制御する。
【００５１】
図５は、第２の実施形態の広告出力制御装置１００の構成を示すブロック図である。
【００５２】
広告出力制御装置１００は、大きく区分して通信部１３０、記憶手段１１０および制御手段１２０を含む構成となっている。
【００５３】
通信部１３０は、複数のユーザ情報収集装置や複数の広告表示装置と接続され、それぞれの上位装置通信部と通信を行う。通信形態は無線通信または有線通信のどちらであってもかまわない。ユーザ情報収集装置からはユーザＩＤ、プロファイル情報、取得時刻およびユーザ情報収集装置ＩＤを受信し、広告表示装置には後述する表示指示情報を送信する。
【００５４】
記憶手段１１０は、当該広告システムによる広告表示を実現するために必要な各種の記憶手段として、ユーザ情報管理部１１１、装置設置場所記憶部１１２、表示情報管理部１１３および広告情報蓄積部１１４を含む。
【００５５】
ユーザ情報管理部１１１は、ユーザ情報収集装置から収集したユーザＩＤ、プロファイル情報、取得時刻およびユーザ情報収集装置ＩＤをユーザに対応させてユーザ単位で管理する。詳細は図７を参照して後述する。
【００５６】
装置設置場所記憶部１１２は、ユーザ情報収集装置および広告表示装置のそれぞれの設置場所をそれぞれの識別情報と地図情報と対応付けて記憶している。ユーザの進行方向および経路の推定、進行速度の算出に使用される。
【００５７】
表示情報管理部１１３は、当該広告システムによる広告表示の対象となる広告表示装置対応に、対象となるユーザＩＤを表示時刻に対応させて登録した管理テーブルである。詳細は図８を参照して後述する。
【００５８】
広告情報蓄積部１１４は、ユーザの各プロファイル情報に対応した最適な広告情報が蓄積されている。
【００５９】
制御手段１２０は、通信部１３０および記憶手段１１０と連動して当該広告システムによる広告表示を実現するために必要な各種の制御動作を実行する。制御手段１２０は、情報収集部１２１、経路予測部１２２および広告情報選択指示部１２３を含む。
【００６０】
情報収集部１２１は、ユーザ情報収集装置から受信したユーザＩＤ、プロファイル情報、取得時刻およびユーザ情報収集装置ＩＤを、ユーザ単位で管理できるようにユーザ情報管理部１１１に登録および更新の制御を行う。
【００６１】
経路予測部１２２は、ユーザ情報管理部１１１に逐次登録、更新されるユーザ単位の情報に基づいて、ユーザの進行方向、経路を推定し、その経路上に存在する広告表示装置の有無を確認する。ユーザの経路上に広告表示装置が存在する場合には、ユーザがその場所に到達するタイミングを予測し、表示情報管理部１１３に必要情報を登録する。なお、後述するが、ユーザが到達するタイミングが表示情報管理部１１３で管理している次回タイミングより早い場合は、ユーザＩＤと広告表示装置ＩＤを付加してその旨を広告情報選択指示部１２３に直接通知する。また、ユーザの進行速度が所定の値よりも速い場合には、当該広告システムによる広告表示の処理の対象から外すようにすることもできる。
【００６２】
広告情報選択指示部１２３は、表示情報管理部１１３を周期的に参照し、通知対象とする広告表示装置ＩＤおよびそれと対応して登録されているユーザＩＤを抽出することにより処理を実行する。また、経路予測部１２２から通知を受けた場合には、通知されたユーザＩＤと広告表示装置ＩＤとに基づいて処理を実行する。広告情報選択指示部１２３は、広告表示装置ＩＤで識別される通知対象の広告表示装置に対応するユーザＩＤに基づいて、当該ユーザのプロファイル情報に合致する広告情報を広告情報蓄積部１１４から抽出する。そして、抽出した広告情報と、その表示時刻を含む表示指示情報を、広告表示装置ＩＤで識別される通知対象の広告表示装置に送信する。表示時刻は、表示情報管理部１１３を参照した場合は、表示情報管理部１１３における次回タイミングに相当する時刻である。次回タイミングについては後述する。また、経路予測部１２２から通知を受けた場合には、通知された時刻をそのまま表示時刻とする。
【００６３】
図６は、第２の実施形態の広告表示装置３００の構成を示すブロック図である。なお、広告表示装置３００は、複数の広告表示装置３１０、・・３ｍｎを代表して、その構成を示すものである。
【００６４】
広告表示装置３００は、上位装置通信部３０２、記憶制御部３０３、広告情報記憶部３０４、表示制御部３０５および広告表示部３０１を含む構成となっている。
【００６５】
広告表示部３０１は広告情報を表示する。例えば、動画像や静止画像を表示するビルの壁面等に設置された大型ディスプレイ装置がある。また、ここで表示する広告情報は動画像に限ることなく、静止画像や音声の単独情報による広告情報を含むものとする。従って、広告表示部３０１は街頭スピーカーであってもかまわない。
【００６６】
上位装置通信部３０２は広告出力制御装置１００と接続されて表示指示情報を受信する。広告出力制御装置１００との通信形態は無線通信または有線通信のどちらであってもかまわない。表示指示情報は、当該広告表示装置３００に接近中のユーザのプロファイル情報に合致する広告情報と、ユーザの到達予測から求めた当該広告情報の出力時刻を含む。また、表示指示情報は、通常時に当該広告表示装置３００で表示する広告情報も含む。
【００６７】
記憶制御部３０３は、上位装置通信部３０２を介して広告出力制御装置１００から受信した表示指示情報を広告情報記憶部３０４に蓄積する制御を行う。表示指示情報は、通常時に当該広告表示装置３００で表示する広告情報と、当該広告表示装置３００に接近中のユーザのプロファイル情報に合致する広告情報およびその出力時刻を含む。前者を通常広告情報、後者を割込み広告情報と称し、記憶制御部３０３は、通常広告情報と割込み広告情報を分類して広告情報記憶部３０４に蓄積する制御を行う。通常広告情報は、例えば予めプログラムした順番で表示する広告のセットである。つまり、通常広告情報は、当該広告システムの運用者が予めサーベイして、広告表示装置の設置場所や表示時間に効果的な広告セットとして広告出力制御装置１００から各広告表示装置に適宜配布される広告情報である。
【００６８】
広告情報記憶部３０４は、広告情報をその出力タイミングに従って記憶蓄積する。また、通常広告情報と割込み広告情報はそれぞれ異なる記憶エリアに蓄積される。
【００６９】
表示制御部３０５は、広告表示部３０１に表示出力する広告情報を、広告情報記憶部３０４から出力タイミングに従って取り出して広告表示部３０１に表示出力を指示する。後述するが、表示制御部３０５は広告情報記憶部３０４に割込み広告情報が蓄積されている場合は、割込み広告情報をその出力時刻に同期して表示出力させることを優先する。そして、一旦表示した割込み広告情報は広告情報記憶部３０４から削除する。
【００７０】
図７は、広告出力制御装置１００のユーザ情報管理部１１１で管理しているユーザデータの例を示す図である。
【００７１】
ユーザ情報管理部１１１は、ユーザ情報収集装置２００から収集したユーザＩＤ、プロファイル情報、取得時刻およびユーザ情報収集装置ＩＤをユーザ単位で管理する。
【００７２】
図７はある時点におけるユーザ情報管理部１１１のデータの一部を示す。このデータには３人のユーザに関する情報が蓄積されている。各ユーザはユーザＩＤで特定され、そのユーザに関するプロファイル情報が対応して登録されている。
【００７３】
そして、各ユーザがプロファイル情報を収集されたユーザ情報収集装置の識別情報であるユーザ情報収集装置ＩＤと取得時刻が逐次登録されている。つまり、例えばユーザＡａａは、３箇所のユーザ情報収集装置の近傍にいたことが登録されている。それらは、Ｒａｂｂ００１で特定されるユーザ情報収集装置の近傍に１０時２５分３１秒に、Ｒａｂｃ００３の近傍に１０時２８分１５秒に、そして、Ｒａｂｅ００２の近傍に１０時３２分０３秒にそれぞれいたことが登録されている。同様に、ユーザＢａｇは２箇所のユーザ情報収集装置の近傍にいたことが登録され、ユーザＢｃｋは１箇所のユーザ情報収集装置の近傍にいたことが登録されている。
【００７４】
また、Ｒａｂｂ００１、Ｒａｂｃ００３、Ｒａｂｅ００２等のユーザ情報収集装置ＩＤは、装置設置場所記憶部１１２において、地図情報と対応して記憶されている。
【００７５】
なお、ユーザＢａｇのユーザ情報収集装置Ｒｘｃｆ００３に付与されている米印は、後述する探索実行済フラグを表す。この探索実行済フラグは、広告表示装置の探索を行ったが、その時点では対象となる広告表示装置が発見されなかったことを意味する。
【００７６】
図８は、広告出力制御装置１００の表示情報管理部１１３で管理する登録データの例を示す図である。
【００７７】
表示情報管理部１１３へのデータ登録は経路予測部１２２が行い、広告情報選択指示部１２３が表示情報管理部１１３を参照して広告情報の生成および対応する広告表示装置への通知を行う。
【００７８】
表示情報管理部１１３には、当該広告システムにおける広告表示の対象となっている全ての広告表示装置に対応するデータ登録領域がある。左欄の上から順に広告表示装置がそのＩＤで識別できるようになっている。また、上欄には、「次回タイミング」、「５分後表示」、・・・「２０分後表示」というように、広告情報を表示する時刻情報が規格化されて示されている。
【００７９】
経路予測部１２２は、その処理において、あるユーザがある広告表示装置に到達する時刻を予測すると、該当する広告表示装置ＩＤと規格化した到達予測時刻に該当するデータ登録領域に、対応するユーザＩＤを登録する。
【００８０】
「次回タイミング」とは、基準時刻から例えば５分後に広告情報を出力する対象となるユーザＩＤが登録されている。基準時刻とは、広告情報選択指示部１２３が処理動作を行った時刻である。「５分後表示」とは「次回タイミング」からさらに５分後に広告情報を出力する対象となるユーザＩＤが登録されている。従って、基準時刻を基準にすると１０分後の表示出力である。「１０分後表示」・・・「２０分後表示」も「次回タイミング」からの時間を意味している。
【００８１】
上記の例では、広告情報選択指示部１２３は５分周期で処理動作を行うことになる。そして、当該処理動作時には「次回タイミング」欄にユーザＩＤが登録されている広告表示装置を対象にして処理する。つまり、広告情報選択指示部１２３は、「次回タイミング」欄にユーザＩＤが登録されている広告表示装置に対して、広告情報を５分後の時刻に表示出力するように指示する。
【００８２】
広告情報選択指示部１２３は、上記処理動作を実行する度に、その実行したタイミングを経路予測部１２２に通知する。そのため、経路予測部１２２は、広告情報選択指示部１２３の動作周期を知っており、直近に行った処理動作時間を基準にして規格化時刻欄にユーザＩＤを登録する。
【００８３】
広告情報選択指示部１２３が直近に行った処理動作時刻から次の処理動作を行うまでの時間が５分で、そのときに通知する出力時刻は５分後の出力時刻である。従って、経路予測部１２２は、算出した到達予測時刻が、広告情報選択指示部１２３が直近に行った動作処理時刻から１０分以上〜１５分未満であるユーザＩＤを「次回タイミング」の欄に登録する。「５分後表示」欄には、到達予測時刻が、広告情報選択指示部１２３が直近に行った動作処理時刻から１５分以上〜２０分未満であるユーザＩＤが登録される。「１０分後表示」・・・「２０分後表示」の欄にも同様の考え方でユーザＩＤが登録される。
【００８４】
経路予測部１２２は、広告情報選択指示部１２３が直近に行った処理動作時刻からの経過時刻に応じて、上記のデータ登録処理を行う。例えば、広告情報選択指示部１２３が直近に行った処理動作時刻から３分が経過した時点で算出した到達予測時刻が、現時点から１４分後であった場合、この時刻は直近に行った処理動作時刻を基準にすると１７分後（３分＋１４分）となる。そのため、このユーザのデータは「５分後表示」欄に登録する。
【００８５】
また、経路予測部１２２は、算出した到達予測時刻が、広告情報選択指示部１２３が直近に行った動作処理時刻から１０分未満であった場合には、表示情報管理部１１３へのデータ登録は行わずに、広告情報選択指示部１２３に直接指示を行う。この指示を受けた広告情報選択指示部１２３は、動作周期にかかわらず、指示されたユーザＩＤ、広告表示装置および出力時刻に応じた処理を即座に行う。この直接指示に基づく広告情報選択指示部１２３の処理動作時刻は上記の基準としての処理動作時刻としては使われない。
【００８６】
この表示情報管理部１１３のテーブル情報は、広告情報選択指示部１２３が「次回タイミング」欄に登録された全てのデータに関する処理を終了すると、別途用意されたテーブル更新処理により更新される。つまり、「５分後表示」欄の登録データが「次回タイミング」欄に移り、「１０分後表示」・・・「２０分後表示」の欄のデータもそれぞれ１つ前の欄に移る。
【００８７】
なお、経路予測部１２２は、広告情報選択指示部１２３により、対象となる欄のデータの処理が実行されるまでは、表示情報管理部１１３のテーブル登録を随時行うことができる。つまり、「次回タイミング」欄への登録は、広告情報選択指示部１２３により当該欄に対する処理が行われるまで、対象データが出現すれば登録することができる。他の欄のデータ登録も、更新により「次回タイミング」欄にデータが移り、それが広告情報選択指示部１２３により処理されるまで、当該欄への対象データが出現する度に登録することができる。
【００８８】
次に、上述のように構成されたユーザ情報収集装置２００、広告出力制御装置１００および広告表示装置３００の動作を図９〜図１４のフロー図を参照して説明する。
【００８９】
図９は、第２の実施形態のユーザ情報収集装置２００の動作を示すフロー図である。
【００９０】
ユーザ情報収集装置２００は、所定の範囲をカバーする無線通信エリアを構築しており、その無線通信エリア内に入った端末３０と通信を行う。
【００９１】
ユーザ情報収集装置２００は、例えばユーザ情報収集装置２００を中心として半径１０ｍ〜２０ｍの円形の近距離無線通信エリアに周期的に応答要求信号を送信している（Ｓ２０１）。
【００９２】
当該広告システムによる広告表示のサービスに登録しているユーザがこの無線通信エリア内に入ると、当該ユーザが所持している端末３０は、ユーザ情報収集装置２００が発する応答要求信号に応答して応答信号を返送する（Ｓ２０２、ＹＥＳ）。通常、ユーザＩＤはこの応答信号によりユーザ情報収集装置２００に通知される。
【００９３】
これにより、ユーザ情報収集装置２００と端末３０との間で通信が開始される。
【００９４】
ユーザ情報収集装置２００は、ユーザに関する情報の取得を求める情報取得要求信号を端末３０に送信する（Ｓ２０３）。
【００９５】
端末３０に、当該ユーザが公開しても良いとしているプロファイル情報が予め登録されている場合は、そのプロファイル情報が端末３０からユーザ情報収集装置２００に送信される。端末３０にそのような情報が登録されていない場合は、当該端末３０との通信を打ち切り、他の端末との通信を試みる（Ｓ２０４、ＮＯ）。
【００９６】
端末３０からプロファイル情報が取得できると（Ｓ２０４、ＹＥＳ）、ユーザ情報収集装置２００は、取得したユーザＩＤとプロファイル情報に当該ユーザ情報収集装置ＩＤと取得時刻を付加した情報セットとして、広告出力制御装置１００に送信する（Ｓ２０５）。この情報セットは、取得する度に広告出力制御装置１００に送信してもよいし、いくつかの情報セットを記憶部に蓄積して、まとめて送信してもよい。
【００９７】
なお、当該ユーザ情報収集装置の周辺に一定時間留まっているようなユーザも想定される。図示していないが、ユーザ情報収集装置２００はそのようなユーザに対しては、最初の応答信号の受信時以外は情報取得要求信号を端末３０に送信しない。そして、当該端末３０からの応答信号を予め定めた時間経過しても受信しなくなった場合に、最後に応答信号を受信した時刻を情報取得時刻として広告出力制御装置１００に取得情報を送信する。また、そのようなユーザが当該ユーザ情報収集装置の周辺に留まっていた時間を収集できるように構成してもよい。
【００９８】
以上のようにして、ユーザ情報収集装置２００の周辺のユーザの情報が取得され、広告出力制御装置１００に収集される。
【００９９】
図１０は、第２の実施形態の広告出力制御装置１００の情報収集部１２１の動作を示すフロー図である。
【０１００】
情報収集部１２１は、広告出力制御装置１００と接続されている複数のユーザ情報収集装置２００から各ユーザの情報セットを受信する（Ｓ３０１）。
【０１０１】
収集した情報セットは、ユーザ情報管理部１１１においてユーザ対応に管理される。そのため、情報収集部１２１は、受信した情報セットのユーザＩＤを識別する（Ｓ３０２）。
【０１０２】
情報収集部１２１は、識別したユーザＩＤがユーザ情報管理部１１１に既に登録されたものであるか、それとも新規のものであるかを判断する（Ｓ３０３）。
【０１０３】
ユーザ情報管理部１１１にユーザＩＤが登録されていない場合（Ｓ３０３、なし）、情報収集部１２１は、ユーザ情報管理部１１１に当該ユーザに関する情報を新規に登録する。つまり、ユーザＩＤ、それに対応するプロファイル情報および最初に到達したユーザ情報収集装置２００とその到達時刻が登録される（Ｓ３０５）。
【０１０４】
一方、ユーザ情報管理部１１１にユーザＩＤが既に登録されている場合（Ｓ３０３、有り）、情報収集部１２１は、ユーザ情報管理部１１１の対応するユーザＩＤ内にエントリーを１つ追加する（Ｓ３０４）。つまり、図７を参照するとわかるように、ユーザ情報収集装置ＩＤと取得時刻のセットを、既に登録されているユーザＩＤの行に追加する。
【０１０５】
ユーザＩＤがユーザ情報管理部１１１に既に登録されているということは、当該ユーザが別のユーザ情報収集装置２００の近傍を過去に通過しているということである。そして、今回はそれとは別のユーザ情報収集装置２００の周辺に来ているので、その新たなユーザ情報収集装置２００から得られた情報が登録されたことを意味する。従って、あるユーザに着目してユーザ情報管理部１１１の登録情報を左から右に辿ることにより、そのユーザが通過した経路にあるユーザ情報収集装置２００とその通過時刻を知ることができる。
【０１０６】
このようにして、情報収集部１２１は、ユーザに関する情報をユーザ単位でユーザ情報管理部１１１に登録する処理を行う。
【０１０７】
なお、情報収集部１２１は、上述した動作以外にも、ユーザ情報管理部１１１の更新状況を周期的に監視しており、一定時間更新がないユーザエントリーをユーザ情報管理部１１１から削除する動作を行う。これは、ユーザがユーザ情報収集装置が設置されていない経路に行ってしまったか、バスやタクシー等の自動車で移動してしまった可能性が高いからである。
【０１０８】
図１１は、第２の実施形態の広告出力制御装置１００の経路予測部１２２の動作を示すフロー図である。
【０１０９】
経路予測部１２２は、ユーザ情報管理部１１１および装置設置場所記憶部１１２を参照して各ユーザの進行に関する情報を推定する。そして、その推定結果を表示情報管理部１１３に登録する。経路予測部１２２の処理は周期的に起動されて実行される。
【０１１０】
まず、経路予測部１２２は、進行方向を推定するために複数個所を通過したユーザに着目する。経路予測部１２２は、ユーザ情報管理部１１１を参照して、複数個所のエントリーがあるユーザＩＤを抽出する（Ｓ４０１）。
【０１１１】
経路予測部１２２は、抽出したユーザＩＤから、順次個々のユーザに対して、その進行方向と進行経路を推定する。
【０１１２】
経路予測部１２２は、まず対象ユーザが過去に通過した複数のユーザ情報収集装置ＩＤから、装置設置場所記憶部１１２を参照して当該ユーザの進行方向を推定する（Ｓ４０２）。なお、装置設置場所記憶部１１２には、当該システムに関する全てのユーザ情報収集装置２００と広告表示装置３００が、そのＩＤ情報と共に地図情報と対応付けられて記憶されている。
【０１１３】
同じく、経路予測部１２２は、装置設置場所記憶部１１２を参照して当該ユーザの経路を推定し、その直近の経路上に広告表示装置３００が設置されているか否かを判別する（Ｓ４０３）。
【０１１４】
なお、「直近の経路上に広告表示装置が設置」とは、その広告表示装置３００の設置されている場所に行く途中に道路の分岐等がなく、通常に歩行すれば必然的にその場所に達する状況を意味する。つまり、最後に通過した広告表示装置３００の設置場所および推定した進行方向から判断した経路上に、必ず行き着くであろう広告表示装置３００があるか否かを判別する。従って、その経路上に広告表示装置３００があったとしても、途中に道路の分岐等があって、その分岐路に広告表示装置３００が無い場合は、「直近の経路上に広告表示装置が設置」とは言わない。また、その分岐路に行っても別の広告表示装置３００に必然的に達することができれば、それは「直近の経路上に広告表示装置が設置」となる。この場合は、両方の広告表示装置を対象として後述する処理を行う。
【０１１５】
進行方向の直近の経路上に広告表示装置が設置されている場合（Ｓ４０３、有り）、経路予測部１２２は、その広告表示装置に対象ユーザが到達する時刻を予測する。
【０１１６】
そのため、経路予測部１２２は、ユーザの進行速度を算出する（Ｓ４０４）。これは、ユーザ情報収集装置ＩＤと取得時刻に基づいて、過去に通過した複数のユーザ情報収集装置間の距離とそれぞれの場所への到達時刻から算出できる。
【０１１７】
ユーザの進行速度を算出した経路予測部１２２は、次に、直近の広告表示装置にユーザが到達する時刻を予測する（Ｓ４０５）。これは、直近の広告表示装置までの距離と、いま算出したユーザの進行速度から算出できる。前述のように、対象となる広告表示装置が複数ある場合は、それぞれに対する到達時刻を算出すればよい。
【０１１８】
対象となる広告表示装置を特定し、ユーザがその場所に到達する時刻を予測した経路予測部１２２は、その情報を表示情報管理部の該当する欄に登録する（Ｓ４０６）。つまり、図８を参照して説明したように、対象となる広告表示装置ＩＤの対象となる正規化出力時刻欄に当該ユーザＩＤを登録する。
【０１１９】
また、ステップＳ４０３において、進行方向の直近の経路上に広告表示装置が設置されていない場合（Ｓ４０３、なし）、経路予測部１２２は、進行方向の更に先の経路上に広告表示装置があるか否かを判別する（Ｓ４０７）。これは、ユーザが歩いて行く先に広告表示装置が設置されていないのであれば（Ｓ４０７、なし）、これ以上のトレースは無駄になるので、当該ユーザのエントリーを削除する（Ｓ４０８）ためである。
【０１２０】
一方、進行方向の更に先の経路上に広告表示装置が設置されている場合には（Ｓ４０７、有り）、当該ユーザが別のユーザ情報収集装置２００の近傍を通過したことをトリガーとして上記の処理が再度実行され、その際に広告表示装置が特定される可能性がある。しかし、今回の処理では広告表示装置が特定できなかったことを示す探索実行済フラグをユーザ情報管理部１１１に設定する。従って、経路予測部１２２は、次の周期の処理において、探索実行済フラグが付与されたユーザ情報収集装置ＩＤ以降に新たなエントリーが入っていないユーザＩＤに対しては、ステップＳ４０１の処理対象にはしない。
【０１２１】
経路予測部１２２は、ステップＳ４０１で抽出した全てのユーザＩＤに対して上記の処理を実行する。
【０１２２】
なお、ステップＳ４０４で算出したユーザの進行速度や、ステップＳ４０５で予測したユーザが広告表示装置の設置場所に到達する時刻に応じて、処理の変形例を設けてもよい。
【０１２３】
例えば、ステップＳ４０４で算出したユーザの進行速度が予め設定した進行速度を超える場合には、当該ユーザを処理対象から外すようにしてもよい。これは、例えば自転車やバイクに乗って通過しているようなユーザや、ランニングしているようなユーザが考えられる。そのようなユーザは、広告表示を見る可能性が低いので、そのユーザのプロファイルに合致した広告を表示しても意味がないからである。
【０１２４】
また、図８を参照して説明したように、ユーザが広告表示装置に到達する時刻が早いことが予測された場合は、経路予測部１２２は、ステップＳ４０６の処理の代わりに、広告情報選択指示部１２３に直接処理を指示してもよい。
【０１２５】
経路予測部１２２は、対象となるユーザおよび広告表示装置を以上のようにして特定する。
【０１２６】
図１２は、第２の実施形態の広告出力制御装置１００の広告情報選択指示部１２３の動作を示すフロー図である。
【０１２７】
広告情報選択指示部１２３は、経路予測部１２２が特定したユーザのプロファイル情報に合致する広告情報を、やはり経路予測部１２２が特定した広告表示装置に、予測したユーザの到達時刻に表示するように指示する処理を実行する。広告情報選択指示部１２３は、ユーザ情報管理部１１１、表示情報管理部１１３および広告情報蓄積部１１４を参照して処理を実行する。広告情報選択指示部１２３の処理は周期的に起動されて実行される。
【０１２８】
広告情報選択指示部１２３は、図８を参照して説明した、表示情報管理部１１３の「次回タイミング」欄を参照し（Ｓ５０１）、ユーザＩＤが登録されている広告表示装置を抽出する（Ｓ５０２）。
【０１２９】
広告情報選択指示部１２３は、ユーザ情報管理部１１１を参照して、表示情報管理部１１３に登録されているユーザＩＤに対応するプロファイル情報を取得する（Ｓ５０３）。
【０１３０】
プロファイル情報を取得した広告情報選択指示部１２３は、広告情報蓄積部１１４を参照してそのプロファイル情報に合致する広告情報を取得する（Ｓ５０４）。
【０１３１】
広告情報選択指示部１２３は、取得した広告情報と、表示出力時刻として規格化した時刻情報を、対応する広告表示装置に送信する（Ｓ５０５）。図８を参照した説明では、規格化した時間を５分とした。従って、送信した広告情報を５分後に表示するように指示することになる。もちろん、５分後の時間を時刻表示で指示してもよい。
【０１３２】
広告情報選択指示部１２３は、ステップＳ５０２で抽出した全ての広告表示装置に対して上記の処理を実行する（Ｓ５０６）。
【０１３３】
なお、図示は省略したが、図８を参照して説明したように、ユーザが広告表示装置に到達する時刻が早いことが予測され、経路予測部１２２から直接処理を指示された場合は、上記Ｓ５０３からＳ５０５の処理を指示された情報に基づいて実行する。
【０１３４】
また、ステップＳ５０３の処理において、複数のユーザＩＤが登録されている場合、広告情報選択指示部１２３は、それぞれのプロファイル情報を集計、分析して共通的なプロファイル情報に合致する広告情報を取得するようにしてもよい。もちろん、それぞれのユーザのプロファイル情報に合致する複数の広告情報を使うようにしてもよい。
【０１３５】
次に、図１３と図１４を参照して広告表示装置３００の動作を説明する。
【０１３６】
図１３は、第２の実施形態の広告表示装置３００の記憶制御部３０３の動作を示すフロー図である。
【０１３７】
広告表示装置３００は、広告出力制御装置１００からの表示指示情報を受信して、その表示指示情報に含まれる広告情報および表示出力時刻に基づいて広告を表示出力する。
【０１３８】
前述の広告表示装置３００の構成で説明したように、広告情報には通常広告情報と割込み広告情報の２種類がある。通常広告情報は、予めプログラムした順番で表示する広告のセットである。この通常広告情報は、広告表示装置３００の設置場所や表示時間帯に効果的な広告セットとして広告出力制御装置１００から各広告表示装置３００に配布される広告情報である。通常広告情報であっても適宜更新される。割込み広告情報は、当該広告表示装置３００に接近中のユーザのプロファイル情報に合致する広告情報であり、その表示出力時刻が指定されている。
【０１３９】
従って、広告表示装置３００は、割込み広告情報の表示出力を広告出力制御装置１００から指示されるまでは、通常広告情報を表示出力している。
【０１４０】
広告表示装置３００の記憶制御部３０３は、広告出力制御装置１００から受信した広告情報を分類して広告情報記憶部３０４に蓄積する。
【０１４１】
まず、記憶制御部３０３は、広告出力制御装置１００から表示指示情報を受信する（Ｓ６０１）。
【０１４２】
記憶制御部３０３は、受信した表示指示情報に含まれる広告情報が、通常広告情報なのか割込み広告情報なのかを識別する（Ｓ６０２）。これは、広告出力制御装置１００が表示指示情報を送信する際に識別フラグを付加しておけばよい。
【０１４３】
記憶制御部３０３は、受信した表示指示情報に含まれる広告情報が、割込み広告情報であれば（Ｓ６０２、割り込み表示）、広告情報記憶部３０４の割込み広告情報記憶部に当該割込み広告情報を蓄積する（Ｓ６０３）。
【０１４４】
一方、記憶制御部３０３は、受信した表示指示情報に含まれる広告情報が、通常広告情報であれば（Ｓ６０２、通常表示）、広告情報記憶部３０４の通常広告情報記憶部に当該通常広告情報を蓄積する（Ｓ６０４）。
【０１４５】
それぞれの広告情報は、それぞれの蓄積エリアにおいて、その出力タイミングに従った順序で記憶蓄積される。
【０１４６】
図１４は、第２の実施形態の広告表示装置３００の表示制御部３０５の動作を示すフロー図である。
【０１４７】
表示制御部３０５は、広告表示部３０１に表示出力する広告情報を、広告情報記憶部３０４から、各広告の出力タイミングに従って取り出して広告表示部３０１に表示出力を指示する。表示制御部３０５は、周期的に処理動作を実行する。
【０１４８】
表示制御部３０５は、処理動作を開始すると広告情報記憶部３０４の内容をサーチして、割込み広告情報が蓄積されているか否かを確認する（Ｓ７０１）。割り込み広告情報が蓄積されていない場合（Ｓ７０１、なし）、表示制御部３０５は、通常広告に関する処理を実行する（Ｓ７０５）。つまり、通常広告として蓄積している広告セットを各広告の表示順に広告表示部３０１に表示出力する。
【０１４９】
一方、広告情報記憶部３０４に割込み広告情報が蓄積されている場合（Ｓ７０１、あり）、表示制御部３０５は、当該割込み広告情報の指定されている表示時刻を確認する。そして、その表示指定時刻に達しているか否かを確認する（Ｓ７０２）。表示指定時刻に達していない場合（Ｓ７０２、ＮＯ）、表示制御部３０５は、通常広告に関する処理を実行する（Ｓ７０５）。
【０１５０】
表示指定時刻に達した場合（Ｓ７０２、ＹＥＳ）、表示制御部３０５は、その表示指定時刻に該当する割込み広告を広告表示部３０１に表示出力する（Ｓ７０３）。そして、表示制御部３０５は、一旦表示出力した割込み広告情報は広告情報記憶部３０４から削除する。
【０１５１】
なお、前述したように、割込み広告情報は、最多の頻度で受信する場合であっても５分間隔で送られてくる。そのため、表示出力される割込み広告は、この５分以内の任意の時間、適宜繰り返して表示出力してよい。
【０１５２】
以上に説明したように、第２の実施形態の広告システムは、街頭に設置された複数のユーザ情報収集手段により、街中を任意に移動中のユーザのプロファイル情報を収集し、そのユーザの進行経路を推定する。そして、そのユーザの進行経路途上にある広告表示装置を特定し、その近傍にユーザが到達するタイミングと同期して、そのユーザのプロファイルから得られる最適な広告情報を提供することができる。そのため、ユーザに対する訴求力の強い、より高い宣伝広告効果を発揮することができる。
【０１５３】
次に第３の実施形態を説明する。
【０１５４】
図１５は、第３の実施形態の広告システムの構成を示すブロック図である。
【０１５５】
第３の実施形態の広告システム３は、広告出力制御装置１５０、複数のユーザ情報収集装置４１０、４２０、・・４ｍｎ（ｍｎは任意の整数）および複数の広告表示装置３１０、・・３ｎｍ（ｎｍは任意の整数）を含む構成となっている。
【０１５６】
第３の実施形態の広告システム３が第２の実施形態の広告システム２と相違する点は、複数のユーザ情報収集装置４１０、４２０、・・４ｍｎの各所定通信エリアが重複して、複数の所定通信エリアで大きな地域をカバーする面として構成されることである。また、ユーザが所持する端末３５が周期的に信号を発信して、それを受信したユーザ情報収集装置、例えばユーザ情報収集装置４１０が広告出力制御装置１５０に収集情報を送信する形態となる。そして、ユーザ情報収集装置４１０は、端末３５から受信した信号の電界強度情報（受信レベル）を付加して広告出力制御装置１５０に収集情報を送信する。収集情報は第２の実施形態の広告システム２と同じで、端末３５から取得したユーザのプロファイル情報、ユーザＩＤ、取得時刻および当該ユーザ情報収集装置ＩＤを含むものである。
【０１５７】
広告出力制御装置１５０は、各ユーザ情報収集装置から街頭に居るユーザに関する情報を逐次収集している点については第２の実施形態の広告出力制御装置１００と同じであるが、後述するように、ユーザのデータの内容と管理の仕方において相違する。
【０１５８】
また、広告出力制御装置１５０がユーザの予想進路と進行速度を推定し、ユーザが広告出力装置に到達するタイミングを予測し、プロファイル情報に合致する広告情報と出力時刻を通知する点においても第２の実施形態の広告出力制御装置１００と同じである。しかし、後述するように、広告出力制御装置１５０がそれを実現するために、管理しているユーザデータの使い方が相違する。
【０１５９】
広告表示装置３１０、・・３ｎｍは、第２の実施形態の広告表示装置と同じである。例えば、広告表示装置３１０は広告出力制御装置１００から受信する表示指示情報に基づいて広告情報を表示出力する。また、第２の実施形態と同様に、広告表示装置３１０が表示出力する広告情報は動画像に限ることなく、静止画像や音声の単独情報による広告情報を含むものとする。
【０１６０】
このような第３の実施形態の広告システム３を、図１６〜図１８を参照して詳細に説明する。
【０１６１】
図１６は、第３の実施形態のユーザ情報収集装置４００のユーザ通信部４０２の構成を示すブロック図である。なお、ユーザ情報収集装置４００は、複数のユーザ情報収集装置４１０、４２０、・・４ｍｎを代表する名称である。そして、その構成は図４に示したユーザ情報収集装置２００の構成と同じなので、ユーザ情報収集装置４００の図示を省略し、ユーザ通信部４０２の構成のみを図示して説明する。なお、ユーザ情報収集装置４００の構成は、図４におけるユーザ情報収集装置２００の各構成要素の参照符号を四百番台に読み替えればよい。つまり、ユーザ情報収集装置２００のユーザ通信部２０２は、ユーザ情報収集装置４００ではユーザ通信部４０２となる。
【０１６２】
前述したように、第３の実施形態では、端末３５が周期的に信号を発信して、それを受信したユーザ情報収集装置４００が広告出力制御装置１５０に収集情報を送信する形態となる。つまり、端末３５は、電源がオン状態で、例えば、当該広告システムによる広告表示サービスの提供を受けることを希望して、対応するアプリケーションを起動しているものとする。
【０１６３】
この場合、端末３５は、該当する電波を探索信号として放送形式で周期的（例えば、１０秒周期）に発信している。そのため、当該ユーザが居る場所の周辺に設置されているユーザ情報収集装置４００は、その探索信号の電波を受信してユーザの接近を知ることができ、端末３５との間で通信してユーザ情報を取得することができる。
【０１６４】
このようなユーザ情報収集装置４００のユーザ通信部４０２は、受信電界検出部４０２１、受信部４０２２、送信部４０２３および信号処理部４０２４を含む構成となっている。
【０１６５】
受信電界検出部４０２１は、端末３５から受信した電波の受信レベルを検出する。受信レベルは、例えばＲＳＳＩ（Received Signal Strength Indicator 受信信号強度検出）値やＲＳＣＰ（Received Signal Code Power 希望波受信電力）値として示される。そして、検出した受信レベルは信号処理部４０２４を介してユーザ情報収集装置４００の制御部４０１に送られる。
【０１６６】
受信部４０１２は、端末３５から受信した電波を中間周波数にダウンコンバートし、検波して受信信号を信号処理部４０１４に送る。
【０１６７】
送信部４０１３は、信号処理部４０１４から出力された送信信号をアップコンバートして送信電波を出力する。
【０１６８】
信号処理部４０１４は、受信信号のアナログ／ディジタル変換等の処理を行ってベースバンド信号を検出し、それを制御部４０１に送る。また、端末３５との通信で必要な応答信号、情報取得要求信号等を送信信号として出力する。
【０１６９】
次に、ユーザ情報収集装置４００の動作を説明する。
【０１７０】
図１７は、第３の実施形態のユーザ情報収集装置４００の動作を示すフロー図である。
【０１７１】
端末３５が接近してくると、端末３５が発信している探索信号を受信する（Ｓ８０１）。探索信号はユーザＩＤを含んで送信されているので、ユーザ情報収集装置４００はユーザを識別することができる（Ｓ８０２）。
【０１７２】
１０秒周期で発信している同一端末からの信号を何度も処理するとユーザ情報収集装置４００の負荷が大きくなるので、本例の場合は、一定時間（例えば、３０秒間）は同一端末からの信号受信を処理しないようにしている。これは、最初に処理したユーザＩＤを図示しない受信ユーザテーブルに登録し、ステップＳ８０２の処理で識別したユーザＩＤを受信ユーザテーブルの登録内容と比較することにより同一端末からの繰り返し受信か否かを判定する。なお、受信ユーザテーブルに登録されたユーザＩＤは予め定めた一定時間が経過したものから後述する再受信フラグが付される。
【０１７３】
ユーザＩＤを識別したユーザ情報収集装置４００は、受信ユーザテーブルを参照して端末３５からの受信形態を識別する（Ｓ８０３）。
【０１７４】
受信ユーザテーブルに当該ユーザＩＤの登録エントリーがなく、新規受信である場合は、取得したプロファイル情報、ユーザＩＤ、受信レベル情報に当該ユーザ情報収集装置４００の装置ＩＤと取得時刻を付加して広告出力制御装置１５０に送信する（Ｓ８０４）。そして、受信ユーザテーブルに当該ユーザＩＤを登録（Ｓ８０５）して処理を終了する。
【０１７５】
受信ユーザテーブルに当該ユーザＩＤの登録エントリーがあり、再受信フラグが付されていない場合、同一ユーザからの信号受信を処理しない期間なので受信情報（ユーザＩＤを含む探索信号）を破棄する（Ｓ８０６）。
【０１７６】
前述のように、受信ユーザテーブルに登録されたユーザＩＤは予め定めた一定時間が経過したものから再受信フラグが付される。これは、当該ユーザ情報収集装置４００の周辺に、対象としているユーザがまだ居る場合の処置を行うケースである。つまり、既にプロファイル情報は取得して広告出力制御装置１５０に送信済なので、当該ユーザの行動に関する情報のみを広告出力制御装置１５０に送信する。
【０１７７】
従って、受信ユーザテーブルに当該ユーザＩＤの登録エントリーがあり、再受信フラグが付されている場合、ユーザ情報収集装置４００はユーザＩＤ、受信レベル情報、装置ＩＤおよび取得時刻を広告出力制御装置１５０に送信する（Ｓ８０７）。この場合、プロファイル情報は送信しない。そのため、ユーザ情報収集装置４００は端末３５からの探索信号を受信する処理だけでよいので、プロファイル情報を取得するための信号処理を行う必要がない。
【０１７８】
なお、受信ユーザテーブルに登録されたユーザＩＤは、同一端末から探索信号を所定の期間受信しなくなった場合に削除される。これは、当該ユーザが当該ユーザ情報収集装置４００の周辺から遠ざかったことを意味するからである。
【０１７９】
また、上記説明において、ユーザ情報収集装置４００は端末３５から送信される電波の受信レベルを検出してそれを広告出力制御装置１５０に送信するとした。しかし、変形例として、ユーザ情報収集装置４００から送信される電波の受信レベルを、端末３５が受信して検出し、それをユーザ情報収集装置４００に報告する形態を加えてもよい。この変形例を用いる場合、ユーザ情報収集装置４００が端末３５に送信する情報取得要求信号の受信レベルが使われる。そして、ユーザ情報収集装置４００は、広告出力制御装置１５０に送信する情報に、ユーザ情報収集装置４００が検出した端末３５から送信される電波の受信レベルと、その端末３５で検出したユーザ情報収集装置４００から送信される電波の受信レベルを含める。
【０１８０】
また、上記説明において、ユーザ情報収集装置４００は端末３５から送信される探索信号を受信し、その後必要に応じて情報取得要求信号を端末３５に送信してプロファイル情報を取得するとした。しかし、別の変形例として、端末３５が、ユーザＩＤおよびプロファイル情報を含めた通知信号として放送形式で一括して送信する形態にしてもよい。この変形例を用いる場合、ユーザ情報収集装置４００は端末３５に対して情報取得要求信号を送信する必要がないので、送信部４０２３を含まないユーザ通信部４０２として構成してもよい。
【０１８１】
次に、第３の実施形態の広告出力制御装置１５０での動作を説明する。
【０１８２】
第３の実施形態の広告出力制御装置１５０の構成は、図５に示した広告出力制御装置１００の構成と同じなので、広告出力制御装置１５０の図示を省略する。広告出力制御装置１５０の構成は、図５における広告出力制御装置１００の各構成要素の参照符号を読み替えればよい。例えば、記憶手段は１６０、制御手段は１７０そして通信部は１８０に読み替えればよい。また、各手段を構成する各部においても同様である。
【０１８３】
図１８は、第３の実施形態の広告出力制御装置１５０のユーザ情報管理部１６１（不図示）で管理しているユーザデータの例を示す図である。
【０１８４】
ユーザ情報管理部１６１は、ユーザ情報収集装置４００から収集したユーザＩＤ、プロファイル情報、取得時刻、受信レベル情報およびユーザ情報収集装置ＩＤをユーザ単位で管理する。
【０１８５】
図１８はある時点におけるユーザ情報管理部１６１のデータの一部を示す。このデータには３人のユーザに関する情報が蓄積されている。各ユーザはユーザＩＤで特定され、そのユーザに関するプロファイル情報が対応して登録されている。
【０１８６】
そして、各ユーザがプロファイル情報を収集された取得時刻を基準にして、ユーザ情報収集装置４００の識別情報であるユーザ情報収集装置ＩＤとそれぞれのユーザ情報収集装置４００において検出された受信レベル情報が逐次登録されている。
【０１８７】
例えばユーザＡａａは、１０時２５分３０秒に３箇所のユーザ情報収集装置４００の近傍にいたことが登録されている。それらは、ユーザ情報収集装置Ｒａｂ０１、Ｒａｃ０３およびＲａｅ０２である。そして、各ユーザ情報収集装置４００で検出した端末からの電波の受信レベルはそれぞれ−３６、−５２、−３２である。ここで受信レベルの数値の単位はｄＢｍであるが、ＲＳＳＩ値として定義された数値を使用してもかまわない。
【０１８８】
また、同一ユーザＡａａの情報が３０秒後の１０時２６分００秒に４箇所のユーザ情報収集装置４００から報告されたことが登録されている。それらは、ユーザ情報収集装置Ｒａｂ０１、Ｒａｃ０３、Ｒａｅ０２およびＲａｅ０５である。そして、各ユーザ情報収集装置４００で検出した端末からの電波の受信レベルはそれぞれ−４６、−６４、−２８、−３１である。
【０１８９】
他のユーザＢａｇやＢｃｋに対しても同様にして、各ユーザがプロファイル情報を収集された取得時刻を基準にして、ユーザ情報収集装置ＩＤとそれぞれのユーザ情報収集装置４００において検出された受信レベル情報が登録されている。
【０１９０】
各ユーザ情報収集装置ＩＤは、装置設置場所記憶部１６２（不図示）において、地図情報と対応して記憶されている。各ユーザ情報収集装置４００で検出した端末からの電波の受信レベルの強弱は、ユーザ情報収集装置４００とユーザとの距離に比例するので、複数個所のユーザ情報収集装置４００で検出した受信レベル情報から容易にユーザ位置を特定することができる。
【０１９１】
なお、ここで示している取得時刻の情報は、最初に報告があったユーザ情報収集装置４００における取得時刻を基準にしている。そして、その基準となる取得時刻から２０秒以内の他のユーザ情報収集装置４００からの報告は略同一の取得時刻として、基準となる取得時刻と同一欄に登録している。この略同一の取得時刻と判断する時間幅は、端末３５の情報発信の周期と、ユーザ情報収集装置４００における情報取得制御の実行間隔に応じて任意に設定することができる。つまり、この設定は、広告出力制御装置１５０における処理負荷を抑え、かつ処理する情報の精度を落とすことなく実施できる範囲であれば任意に決めてかまわない。
【０１９２】
広告出力制御装置１５０が行う以降の処理は、第２の実施形態の広告出力制御装置１００が行う処理と同じである。
【０１９３】
つまり、経路予測部１７２（不図示）は、ユーザ情報管理部１６１および装置設置場所記憶部１６２を参照して各ユーザの進行に関する情報を推定する。そして、その推定結果を表示情報管理部１６３（不図示）に登録する。
【０１９４】
第３の実施形態の場合、経路予測部１７２は、複数の時刻エントリーのあるユーザに対し、各時刻エントリーにおけるユーザの位置を、装置設置場所記憶部１６２を参照して特定する。そして、複数の時刻エントリーにおける位置の変化状態から当該ユーザの進行方向と進行経路を推定する。
【０１９５】
経路予測部１７２が行う、進行方向の直近の経路上の広告表示装置３００に対象ユーザが到達する時刻を予測して、表示情報管理部１６３にユーザＩＤを登録する処理は、第２の実施形態と同じである。
【０１９６】
また、広告情報選択指示部１７３（不図示）が行う、経路予測部１７２が特定したユーザのプロファイル情報に合致する広告情報を、特定した広告表示装置３００に、予測したユーザの到達時刻に表示するように指示する処理も第２の実施形態と同じである。
【０１９７】
さらに、広告表示装置３００における処理も第２の実施形態と同じである。
【０１９８】
このように、第３の実施形態の広告システム３は、ユーザ情報収集装置４００の所定通信エリアを面として構築し、街中を任意に移動するユーザの動きをその面の中で把握するようにしている。つまり、各ユーザ情報収集装置４００で検出した端末３５からの電波の受信レベルの強弱は、各ユーザ情報収集装置４００の設置場所と端末３５との距離に比例することになるので、ユーザの位置をより正確に把握することが可能となる。
【０１９９】
そのため、街頭に設置された複数のユーザ情報収集手段４００により、街中を任意に移動中のユーザのプロファイル情報を収集し、そのユーザの進行経路をより正確に推定することができるようになる。そして、そのユーザの進行経路途上にある広告表示装置３００を特定し、その近傍にユーザが到達するタイミングと同期して、そのユーザのプロファイルから得られる最適な広告情報を提供することが容易にできる。そのため、ユーザに対する訴求力の強い、より高い宣伝広告効果を発揮することができる。
【０２００】
なお、第３の実施形態では、端末３５が発信する電波の受信レベルをユーザ情報収集装置４００で検出したものを使用するとして説明した。しかし、変形例として前述したように、端末３５でユーザ情報収集装置４００が発信する電波の受信レベルを検出し、それをユーザ情報収集装置４００に報告する形態にし、ユーザ情報収集装置４００が両方の受信レベル情報を収集情報に含めるようにしてもよい。そして、広告出力制御装置１５０では両方の受信レベル情報の、例えば平均レベルを受信レベルとして使用するようにしてもよい。このようにすることにより、建物の位置などにより影響される電波のレベル変動による測定誤差を小さくすることができ、ユーザ位置の特定の精度を高めることができる。
【０２０１】
次に、第４の実施形態の広告システムを説明する。
【０２０２】
図１９は、第４の実施形態の広告システムの構成を示すブロック図である。第４の実施形態の広告システム４は、広告表示装置とユーザ情報収集装置が一体化された装置を使用する。
【０２０３】
第４の実施形態の広告システム４は、広告出力制御装置１００および複数の広告表示装置５１０、５２０、・・５ｍｎ（ｍｎは任意の整数）を含む構成となっている。そして、広告表示装置５００は、第２の実施形態で説明した広告表示装置にユーザ情報収集機能が含まれた装置構成となっている。なお、広告表示装置５００は、複数の広告表示装置５１０、５２０、・・５ｍｎを代表する名称である。
【０２０４】
図２０は、第４の実施形態の広告表示装置５００の構成を示すブロック図である。
【０２０５】
広告表示装置５００は、広告表示機能として広告表示部５０１、記憶制御部５０７、広告情報記憶部５０９および表示制御部５０６を含む。また、広告表示装置４００は、ユーザ情報収集機能としてユーザ通信部５０２、通信制御部５０４およびユーザ情報記憶部５０８を含む。共通機能として広告出力制御装置１００と通信を行う上位装置通信部５０３を含む。
【０２０６】
このように、第４の実施形態の広告表示装置５００の構成は、図４および図６にそれぞれ示した第２の実施形態のユーザ情報収集部２００と広告表示装置３００の構成が一体化した構成となっている。
【０２０７】
従って、第４の実施形態の広告表示装置５００の各構成要素は第２の実施形態の構成と次のように対応している。広告表示部５０１は広告表示部３０１に、記憶制御部５０７は記憶制御部３０３に、広告情報記憶部５０９は広告情報記憶部３０４に、表示制御部５０６は表示制御部３０５にそれぞれ対応している。ユーザ通信部５０２はユーザ通信部２０２に、通信制御部５０４は制御部２０１に、ユーザ情報記憶部５０８は記憶部２０４にそれぞれ対応している。そして、上位装置通信部５０３は上位装置通信部２０３と上位装置通信部３０２の両方に対応している。各部の機能は、第２の実施形態における対応する各部の機能と同じなので説明を割愛する。
【０２０８】
以上に説明したように、第４の実施形態の広告システム４は、広告表示装置５００の構成が異なることを除けば第２の実施形態の広告システム２と同じ構成となり、同じ動作を行う。
【０２０９】
また、図示を省略したが、第４の実施形態の広告システム４は、第３の実施形態の広告システム３におけるユーザ情報収集装置４００を広告表示装置５００に置き換えたシステム構成とすることもできる。もちろん、この場合のユーザ通信部５０２は、図１６に示したユーザ通信部４０２と同じ構成となる。そして、広告出力制御装置は、第３の実施形態で説明した広告出力制御装置１５０と同じ構成、同じ動作を行う。これにより、第４の実施形態の広告システム４は、広告表示装置５００の構成が異なることを除けば第３の実施形態の広告システム３と同じ構成となり、同じ動作を行う。
【０２１０】
以上に説明したように、第４の実施形態は、第２の実施形態にも第３の実施形態にも適用可能な実施形態である。そして、広告表示装置にユーザ情報収集機能が含まれた装置構成となっているので、単に街中を任意に移動しているユーザというよりも、むしろ広告情報を目的として集まってきているユーザの移動を対象とすることができる。さらに、第４の実施形態は広告表示装置自体がユーザ情報収集機能を有しているので、対象としたユーザが対象とした広告表示装置に到達したか否か、また到達した時刻の検証を行うような構成にすることもできる。また、対象としたユーザが対象とした広告表示装置周辺に留まっている時間を識別して、広告の表示出力している時間を動的に変更するような構成にすることもできる。
【０２１１】
このように、第４の実施形態は、街頭に設置された複数の広告表示装置の周辺に集まっているユーザのプロファイル情報を収集し、そのユーザの移動状況に応じて、ユーザの進行経路を推定することができる。そして、そのユーザの進行経路途上にある広告表示装置を特定し、その近傍にユーザが到達するタイミングと同期して、そのユーザのプロファイルから得られる最適な広告情報を提供することができる。そのため、ユーザに対する訴求力の強い、より高い宣伝広告効果を発揮することができる。
【０２１２】
以上、いくつかの実施形態を説明したが、これらの実施形態は広告システムを設置する環境状況に応じて適宜組み合わせて使用するようにしてもかまわない。
【符号の説明】
【０２１３】
１、２、３、４    広告システム
１０    広告出力制御手段
２１、２ｍ    ユーザ情報収集手段
３１、３ｎ    広告表示手段
３０、３５    端末
１００、１５０    広告出力制御装置
２００、２１０、２ｍｎ    ユーザ情報収集装置
４００、４１０、４２０、４ｍｎ    ユーザ情報収集装置
３００、３１０、３ｎｍ    広告表示装置
５００、５１０、５２０、５ｍｎ    広告表示装置
１１０    記憶手段
１１１    ユーザ情報管理部
１１２    装置設置場所記憶部
１１３    表示情報管理部
１１４    広告情報蓄積部
１２０    制御手段
１２１    情報収集部
１２２    経路予測部
１２３    広告情報選択指示部
１３０    通信部
２０１、４０１    制御部
２０２、４０２、５０２    ユーザ通信部
２０３    上位装置通信部
２０４    記憶部
３０１、５０１    広告表示部
３０２、５０３    上位装置通信部
３０３、５０７    記憶制御部
３０４、５０９    広告情報記憶部
３０５、５０６    表示制御部
５０４    通信制御部
５０８    ユーザ情報記憶部
４０２１    受信電界検出部
４０２２    受信部
４０２３    送信部
４０２４    信号処理部
【図１】
0005947050.tif 000002
【図２】
0005947050.tif 000003
【図３】
0005947050.tif 000004
【図４】
0005947050.tif 000005
【図５】
0005947050.tif 000006
【図６】
0005947050.tif 000007
【図７】
0005947050.tif 000008
【図８】
0005947050.tif 000009
【図９】
0005947050.tif 000010
【図１０】
0005947050.tif 000011
【図１１】
0005947050.tif 000012
【図１２】
0005947050.tif 000013
【図１３】
0005947050.tif 000014
【図１４】
0005947050.tif 000015
【図１５】
0005947050.tif 000016
【図１６】
0005947050.tif 000017
【図１７】
0005947050.tif 000018
【図１８】
0005947050.tif 000019
【図１９】
0005947050.tif 000020
【図２０】
0005947050.tif 000021